(57)【要約】【課題】薄い小物を多数収納でき、また店頭での陳列にも供しうる紙製でも製造可能な整理ケースを提供する。【解決手段】ケースが底辺部５とその両面に折畳み自在に連接した上面部８と蓋面部９とからなる表紙３と、前記底辺部５と上面部８内に糊着した側壁４ａ，４ｂとからなり、該側壁４ａ，４ｂは折畳み時に縮小し展開時に伸張する伸縮自在な折畳み形式にし、該折畳みにより形成される両凸部内に多数の薄い小物１４を挿入して収納しうるようにした折畳み式の整理ケース１を構成する。【選択図】   図２
0003116550.tif 000002
【実用新案登録請求の範囲】
【請求項１】
ケースが底辺部とその両面に折畳み自在に連接した上面部と蓋面部とからなる表紙と、前記底辺部と上面部内に糊着した側壁とからなり、該側壁は折畳み時に縮小し展開時に伸張する伸縮自在な折畳み形式にし、該折畳みにより形成される両凸部内に多数の薄い小物を挿入して収納しうるようにしたことを特徴とする折畳み式の整理ケース。
【請求項２】
ケースが底辺部とその片面に折畳み自在に連接した上面部とからなる表紙と、前記底辺部と上面部内に糊着した側壁とからなり、該側壁は折畳み時に縮小し展開時に伸張する伸縮自在な折畳み形式にし、該折畳みにより形成される両凸部内に多数の薄い小物を挿入して収納し、展開して陳列しうるようにしたことを特徴とする折畳み式の整理ケース。
【請求項３】
薄い小物が、慶弔袋である請求項１記載の折畳み式の整理ケース。
【請求項４】
薄い小物が、カード入れである請求項１記載の折畳み式の整理ケース。
【請求項５】
蛇腹の凸部に平坦な襠部を挿入したある程度の厚みを有する薄い小物を収納する請求項１または請求項２記載の折畳み式の整理ケース。
【請求項６】
薄い小物が、衣服・身の回り品・小物用品である請求項１、請求項２または請求項５のいずれかに記載の折畳み式の整理ケース。
【考案の詳細な説明】
【技術分野】
【０００１】
本考案は、慶弔袋等の薄い小物を多数収納するための折畳み式の整理ケースに関するものである。
【背景技術】
【０００２】
葬儀や結婚式等に受け取る慶弔袋は、数が多く、その整理が大変である。しかし、従来は、数多くの慶弔袋を収納するための適当な整理ケースがなかった。慶弔用の受け付け用具としては唯一、記帳用のスタンプセットが、先行技術として開示されている（例えば、特許文献１）。
【特許文献１】特開２００２−６７４６３号公報
【０００３】
収納する薄い小物としては、ＣＤカード類の整理ケースも種々提案されている。例えば縦にずらして並べるようにしたもの（例えば、特許文献２）、扇状に広がるようにしたもの（例えば、特許文献３）、折り畳んだ仕切りを重ね合わせたもの（例えば、特許文献４）等が、先行技術として開示されている。
【特許文献２】特開２００４−１１３７５０号公報
【特許文献３】特開２００２−３６２０７９号公報
【特許文献４】特開２００１−１２８７２０号公報
【０００４】
収納方式としては、側壁を蛇腹状にし、山折り部分で区切られた小間内に挿入するようにすれば、多数の小物を収納することができる。そのためフロッピーディスク用等の収納ケースとして、いくつかの先行技術が開示されている（例えば、特許文献５，６，７，８、実用新案文献１）。
【特許文献５】特開２００３−３１２７６９号公報
【特許文献６】特開平７−１３７７８０号公報
【特許文献７】特開２００４−２９２００９号公報
【特許文献８】特開２００１−１２２３７４号公報
【特許文献９】実開平５−７２７９１号公報
【０００５】
しかしながら、薄い小物を多数収納でき、また店頭での陳列にも供しうる紙製でも製造可能な整理ケースは従来みられなかった。
【考案の開示】
【考案が解決しようとする課題】
【０００６】
上記の事情に鑑み本考案は、薄い小物を多数収納でき、また店頭での陳列にも供しうる紙製でも製造可能な整理ケースを提供することを課題とする。
【課題を解決するための手段】
【０００７】
本考案は上記課題を達成するために、ケースが底辺部とその両面に折畳み自在に連接した上面部と蓋面部とからなる表紙と、前記底辺部と上面部内に糊着した側壁とからなり、該側壁は折畳み時に縮小し展開時に伸張する伸縮自在な折畳み形式にし、該折畳みにより形成される両凸部内に多数の薄い小物を挿入して収納しうるようにしたことを特徴とするアコ−ディオン式の整理ケースを構成するものである。
【０００８】
また本考案は上記課題を達成するために、ケースが底辺部とその片面に折畳み自在に連接した上面部とからなる表紙と、前記底辺部と上面部内に糊着した側壁とからなり、該側壁は折畳み時に縮小し展開時に伸張する伸縮自在な折畳み形式にし、該折畳みにより形成される両凸部内に多数の薄い小物を挿入して収納し、展開して陳列しうるようにしたことを特徴とする折畳み式の整理ケースを構成するものである。
【０００９】
本考案の整理ケースは、内部を縦に等間隔に向かい合わせて、折畳み式にし、その折畳みにより形成される多数の両凸部内に、薄い小物を収納するものである。従って、折畳みによる動きで、小物が余裕をもって挿入でき、取出しやすくしている。そのため素材は、紙製等にもすることもできる。これに対し、凸部を仮に完全な菱形格子状に連結したものとすれば、素材は高価な布製にして接着させなければならず、また蛇腹状で固定されたものとすれば、小物の幅は一定に限定されてしまうので、余裕のないものとなって使いずらくなる欠点がある。
【００１０】
本考案の整理ケースに収納するものは、慶弔袋等の規定寸法からなる多数の薄い小物を対象としている。本考案でいう薄い小物には、カッターシャツ等の衣類や、カ−ド類、その他の身の回り品や小物用品も含まれる。また、本考案の整理ケースは、収納するだけに止まらず、展開して店頭での陳列にも供しうるものを対象にしている。
【００１１】
また本考案でいう薄い小物とは、大体３ｃｍ厚前後より薄いものを対象にしている。そして小物とは、あまり大きくない、軽量のものを対象にしている。
【考案の効果】
【００１２】
本考案の整理ケースは、多数の薄い小物を収納して整理することができる。
【００１３】
本考案の整理ケースは、多数の薄い小物を挿入して展開した状態で、店頭に陳列することもできる。
【００１４】
本考案の整理ケースは、側壁がアコ−ディオン式のため各小間は完全には接合していないので、余裕があり、小物が取出しやすくなっている。
【００１５】
本考案の整理ケースは、表紙や側壁を、紙製等にして大量生産することも可能なため、安価に提供することができる。
【００１６】
本考案の整理ケースに収納される薄い小物は、香典や祝い袋に限らず、シャツや小物やカード等を多数挿入して整理することもできる。
【考案を実施するための最良の形態】
【００１７】
以下、本考案の実施形態を図に基づいて詳しく説明する。
【実施例１】
【００１８】
図１は、慶弔袋からなる薄い小物を収納するための本考案の整理ケースで、折り畳んだ状態の完成品を示す側面図、図２は、図１の整理ケースを開いて展開した平面図である。図３は、図２の状態の正面図、図４は、側壁糊着前の表紙を展開した平面図、図５は、側壁一枚を展開した平面図である。
【００１９】
図１において、本考案の慶弔袋からなる薄い小物を収納するため整理ケース１は、折り畳んだ状態の完成品を示している。寸法はブックサイズであり、スナップ２で重ね合わせて綴じ、金銭が落ちないようにしている。しかし、内部の小間の熨斗袋サイズを、フロッピーディスクやカードサイズに小さくすれば、ディスクやカード用にも応用することができる。
【００２０】
図２と図３は、図１の整理ケースを開いて展開した内部の状態を示すもので、本考案の特徴である折畳み式で形成される多数の小間の状態を示している。
【００２１】
本考案の整理ケースは、図４に示す表紙３と、図５に示す側壁４ａとからなっている。側壁は、図５では一枚に省略しているが、二枚の側壁４ａ，４ｂからなっている。表紙３は、中央に底辺部５があり、その片面（図４では左方）に、折目線６ａ，６ａで囲まれた側面７ａを介して、折畳み自在に連接した上面部８が設けられている。一方、底辺部５の片面（図４では右方）には、折目線６ｂ，６ｂで囲まれた側面７ｂを介して、折畳み自在に連接した蓋面部９が設けられている。但し整理ケース１が肉薄の場合や、表紙３が皮革製の場合は、折目線６ａ，６ｂを一本にしたり、折目線を設けずに側面７ａ，７ｂも省略するようにしてもよい。
【００２２】
一方側壁４ａは、本実施例の場合は二枚のものから構成されている。図５は、その一枚を示している。このように、縦に細長いものからなっており、横に内側へ折り曲げる折目線６ｃと、外側へ折り曲げる折目線６ｄとを交互に数多く設けている。この内側と外側へ交互に折り曲げることによって、折畳み式の凹凸が形成される。
【００２３】
側壁４ａの上端１０と下端１１は、予め接着して全体をループ状にしておく。そして側壁４ａの下端１１に連なる幅広部１２ａを、図４の底辺部５の１２ｂの位置に糊着する。また側壁４ａの中央にある幅広部１３ａを、図４の上面部８の１３ｂの位置に糊着する。同様に１２ｃと１３ｃは、図示してないが、もう一枚の側壁４ｂが糊着される位置を示している。
【００２４】
本考案の整理ケース１を開いて展開した図２には、二枚の側壁４ａ，４ｂの使用状態が示されている。側壁４ａ，４ｂは、折畳み時には縮小しているが、展開時には図２に示すように伸張する、伸縮自在な折畳み式になっている。この折畳み式で多数の小間イ〜レが形成される。この両凸部内の内に、慶弔袋からなる薄い小物を挿入して収納する。即ち、側壁４ａで形成される小間イ〜ヘと、側壁４ｂで形成される小間オ〜レの他に、側壁４ａと側壁４ｂで形成される小間ト〜ルがあり、本実施例の場合では、実に１７個の小物を収納することができる。小間ロには、小物１４を挿入した状態を示している。
【００２５】
図３は、側壁４ｂであり、内側へ折り曲げる折目線６ｃと、外側へ折り曲げる折目線６ｄとが、交互に折り曲げられていることを示している。
【実施例２】
【００２６】
図６は、ある程度厚みのあるシャツからなる薄い小物を、収納するための本考案の整理ケースで、その使用される側を折り曲げて配置した状態を示している。
【００２７】
本考案の整理ケースは蓋面部を設けてもよいが、実施例の如く蓋面部を設けずに表裏の表紙からなるブック形式にしてもよい。
【００２８】
本実施例の場合は、収納する小物がカッターシャツである程度の厚みがあるので、側壁１０４ａ，１０４ｂには、折畳み式の凸部に平坦な襠部１１５…１１５を設けて、この襠部１１５…１１５に小物１１４が楽に挿入できるようにしている。
【００２９】
このようなある程度厚みのある薄い小物としては、衣類の他、身の回り品や小物用品を収納することもできる。また開いて展開した状態すれば、店頭に展示するすることもできる。
【産業上の利用可能性】
【００３０】
本考案の整理ケースは、慶弔袋を始めとする収納用の整理箱として、またカードケース等の携帯用や、また展示のディスプレー用として、広範囲に利用しうるものである。
【図面の簡単な説明】
【００３１】
【図１】慶弔袋からなる薄い小物を収納するための本考案の整理ケースで、折り畳んだ状態の完成品を示す側面図である。
【図２】図１の整理ケースを開いて展開した平面図である。
【図３】図２の状態の正面図である。
【図４】側壁糊着前の表紙を展開した平面図である。
【図５】側壁一枚を展開した平面図である。
【図６】ある程度厚みのある薄い小物を収納するための本考案の整理ケースに使用される側壁で、折り曲げた状態を示す平面図である。
【符号の説明】
【００３２】
１                     
整理ケース
２                     
スナップ
３                     
表紙
４ａ，ｂ               
側壁
１０４ａ，ｂ            側壁
５                     
底辺部
６ａ，ｂ，ｃ，ｄ        折目線
７ａ，ｂ               
側面
８                     
上面部
９                     
蓋面部
１０                   
側壁の上端
１１                   
側壁の下端
１２ａ，１３ａ          側壁の幅広部
１２ｂ，ｃ，１３ｂ，ｃ  幅広部を糊着する位置
１４，１１４            小物
１１５                 
襠
イ〜レ                 
小間
【図１】
0003116550.tif 000003
【図２】
0003116550.tif 000004
【図３】
0003116550.tif 000005
【図４】
0003116550.tif 000006
【図５】
0003116550.tif 000007
【図６】
0003116550.tif 000008